(57)【特許請求の範囲】
【請求項１】
照明器具本体の下端外周縁部に設けられた外向フランジ部と前記照明器具本体に設置された取付装置とによって天井板に設けられた取付開口穴の周縁部を狭持することにより前記照明器具本体を前記取付開口穴に取り付ける埋込型照明器具において、
前記取付装置は、前記照明器具本体の下端外周縁部に立設されたアームと、
該アームに離接可能でかつ上下方向移動可能に取り付けられた押え金具と、
該押え金具の下端側が前記アームから離れる方向でかつ前記押え金具を前記アームの下方へ移動させる方向に付勢する付勢手段と、
前記押え金具を前記付勢手段の付勢力に抗して前記アームの上部に保持すると共に、前記押え金具の下端側が前記アームに接近したときに該保持を解放する保持手段とを備え、
前記付勢手段は、交点部が前記アームの下端部近傍に取り付けられ、先端部が前記照明器具本体から離れる方向に折り曲げられたＶ型バネであることを特徴とする埋込型照明器具。
【請求項２】
前記押え金具の下端部に前記アーム側に突出する突出片を設けると共に、前記アームに該突出片が挿入可能なガイド穴を設けたことを特徴とする請求項１記載の埋込型照明器具。
【請求項３】
前記ガイド穴に、前記突出片が前記ガイド穴に挿入したときに、該突出片を押し戻す方向に作用する付勢手段を設けたことを特徴とする請求項２記載の埋込型照明器具。
【発明の詳細な説明】
【０００１】
【発明の属する技術分野】
本発明は、照明器具本体を天井に設けた取付開口穴に埋め込んで取付ける埋込型照明器具に係り、より詳しくは照明器具本体を取付開口穴に挿入するだけでワンタッチで取付けることができる省施工性の埋込型照明器具に関するものである。
【０００２】
【従来の技術】
図９は、例えば実公昭６３−４８０２０号公報に示された従来の埋込型照明器具の一部斜視図である。図において、１０は埋込型照明器具が取り付けられる天井板であり、１１はその上面、１２はその下面をそれぞれ示している。１３は天井板１０に設けられた取付開口穴である。３１は器具本体、３２は器具本体３１の側壁に設けられて後述する取付金具３５を上下方向に案内する案内する案内スリット、３３は案内スリット３２を跨いで上下方向に所定間隔を離して凹凸に形成された波状部、３４は器具本体３１の下端外周部に設けられた外向フランジ部である。３５は器具本体３１を天井板１０に取り付ける取付金具であり、操作用つまみ３５ａ、係止片３５ｂ及び天井面接触部３５ｃを有している。
【０００３】
次に、上記のように構成された従来の埋込型照明器具の取付方法について説明する。まず、操作つまみ３５ａを器具本体３１の内側に、天井面接触部３５ｃを器具本体３１の外側にそれぞれ位置させた状態で取付金具３５を案内スリット３２に挿入し、取付金具３５を器具本体３１に設置する。このとき、器具本体３１を取付けようとする天井板１０の厚みに応じて、天井上面接触部３５ｃとフランジ部３４との距離を充分とっておく。
【０００４】
次に、器具本体３１を取付開口穴１３に挿入する。そして、取付金具３５が取付開口穴１３の周壁に接触すると、取付金具３５はバネ弾性により開口穴に合わせて器具本体３１側へ変形する。この状態で器具本体３１を押し上げ、取付金具３５が天井上面１１を越えると取付金具３５は元の状態に復元する。
【０００５】
次に、器具本体３１のフランジ部３４を天井下面１２に密着させ、この状態を保持しながら操作つまみ３５ａを器具本体３１の内側から操作して天井上面接触部３５ｃが天井上面１１に接触するまで取付金具３５を押し下げる。これによって、フランジ部３４と天井上面接触部３５ｃとが天井板１０を挟持することになり、器具本体３１は天井面に固定される。このとき、係止片３５ｂと波状部３３が係合することにより取付金具３５は所定位置に固定される。
【０００６】
【発明が解決しようとする課題】
上記のように構成された従来の埋込型照明器具では、器具本体３１の内側に手を入れて操作つまみ３５ａという小さな部品を操作しなければならず、操作性が悪く取付けにくいという問題点があった。また、光源や光反射鏡など器具本体３１の内側に装着される部品は、照明器具の取付の際に邪魔になるので、事前に取り外しておき、照明器具の取付完了後に再装着しなければならず、手間が掛かり作業性が悪いという問題点もあった。
【０００７】
本発明はかかる課題を解決するためになされたものであり、取付時における操作性及び作業性のよい埋込型照明器具を得ることを目的としている。
【０００８】
【課題を解決するための手段】
本発明に係る埋込型照明器具は、照明器具本体の下端外周縁部に設けられた外向フランジ部と前記照明器具本体に設置された取付装置とによって天井板に設けられた取付開口穴の周縁部を狭持することにより前記照明器具本体を前記取付開口穴に取り付けるものにおいて、前記取付装置は、前記照明器具本体の下端外周縁部に立設されたアームと、該アームに離接可能でかつ上下方向移動可能に取り付けられた押え金具と、該押え金具の下端側が前記アームから離れる方向でかつ前記押え金具を前記アームの下方へ移動させる方向に付勢する付勢手段と、前記押え金具を前記付勢手段の付勢力に抗して前記アームの上部に保持すると共に、前記押え金具の下端側が前記アームに接近したときに該保持を解放する保持手段とを備え、前記付勢手段を、交点部が前記アームの下端部近傍に取り付けられ、先端部が前記照明器具本体から離れる方向に折り曲げられたＶ型バネで構成したものである。
【００１０】
さらに、押え金具の下端部に前記アーム側に突出する突出片を設けると共に、前記アームに該突出片が挿入可能なガイド穴を設けたものである。
【００１１】
また、ガイド穴に、前記突出片が前記ガイド穴に挿入したときに、該突出片を押し戻す方向に作用する付勢手段を設けたものである。
【００１２】
【発明の実施の形態】
実施形態１．
図１は本発明の一実施形態である埋込式照明器具の斜視図である。図において、１は照明器具本体、２は照明器具本体の下端外周縁部に設けられた外向フランジ部である。３は照明器具本体１を天井に取り付けるための取付装置であり、照明器具本体１を挟んで対象位置に各１個設置されている。取付装置３は一端が照明器具本体１のフランジ部２に固定されたアーム４、交差部がアーム４の下端部に取り付けられたＶ型バネ５およびアーム４とＶ型バネ５に係合してアーム４に沿って上下方向移動可能に取り付けられた押え金具６から構成されている。
【００１３】
アーム４は矩形状に形成され、その縁部４ａが内側（アーム４を照明器具本体１に取り付けたときにおける照明器具本体１側）に折り曲げられ断面コ字状に形成されている。アーム４の上端部には切り欠４ｂが、またアーム４の中央部における下端寄りの位置には矩形状のガイド穴４ｃがそれぞれ設けられている。さらに、ガイド穴４ｃの下側周縁部を内側に切り起こし形成したガイド片４ｄが設けられている。そして、このアーム４はフランジ部２に対してほぼ直角に立設されている。
【００１４】
次に、押え金具６の形状について説明する。押え金具６はその上部に形成されたＣ形部６ａと、Ｃ形部６ａの下方に連続して形成された押え片６ｂとから構成されている。なお、押え片６ｂはＣ形部６ａと所定の角度を成している。６ｃはＣ形部６ａの上部側ほぼ中央部に形成されたフックであり、アーム４の上端部に設けられた切り欠４ｂに係合する。６ｄはＣ形部６ａの下方に所定間隔を離して形成されたガイド片であり、アーム４の縁部４ａに係合するものである。６ｅは押え片６ｂの下部ほぼ中央に形成されたつば部、６ｆは押え片６ｂの下部両則に設けられた押圧片である。
【００１５】
図２はＶ型バネ５をアーム４に組み付けた状態を示す斜視図である。図２に基づいてＶ型バネ５の形状について説明する。Ｖ型バネ５は１本のバネ線材を曲げ加工して形成され、両脚部５ａ、両脚部５ａの交点部にコイル状に形成されたコイル状部５ｂ及び両脚部５ａの先端に形成されたリング部５ｃから構成されている。そして、両脚部５ａの中央より若干先端寄りの位置が外方向（アーム４を照明器具本体１に取り付けたときにおける照明器具本体１から離れる方向）に折り曲げられ、先端折曲部５ｅが形成されている。
【００１６】
図３はアーム４にＶ型バネ５を組み付けた状態の側面図である。この図から分かるように、Ｖ型バネ５の両脚部５ａとアーム４は所定の角度αを成して装着されている。
【００１７】
次に、再び図１に基づいて、上記のように構成されたアーム４、Ｖ型バネ５および押え金具６の組み付け状態について説明する。
図１に示したように、押え金具６のＣ形部６ａがＶ型バネ５の両脚部５ａを外方から把持し、押え金具６のフック６ｃが切り欠４ｂに係合している。このときＶ型バネ５の両脚部５ａはＣ形部６ａによって押し狭められており、その弾性により広がろうとしている。この力が押え金具６のＣ形部６ａに作用しており、押え金具６は下方に向かう力を受けている。しかし、押え金具６のフック６ｃがアーム４の切り欠４ｂに係合しているので、押え金具６は下方に移動することなくアーム４の上方に保持されている。
【００１８】
また、Ｖ型バネ５の両脚部５ａがアーム４と所定の角度αを成して装着されているので、両脚部５ａに係合している押え金具６のＣ形部６ａはその両端部６ｇの上部側がＶ型バネ５によって内方（照明器具本体１側方向）に押されることになる。その結果、押え金具６の押え片６ｂの下端部がアーム４から浮き上がり、図１に示すような状態になる。すなわち、Ｖ型バネ５は押え片６ｂの下端部をアーム４から離れる方向に付勢すると共に押え金具６を下方へ移動させる方向にも付勢しているのである。
【００１９】
図４は本実施形態にかかる照明器具本体１を天井に取り付ける際の取付装置３の動作を説明する説明図である。図４に基づいて、照明器具本体１を天井に取り付ける取り付け方法及びその際の取付装置３の動作を説明する。
まず、取付装置３における押え金具６を図１の右側に示す状態にセットし、この状態で照明器具本体１を取付開口穴１３に挿入する（図４（ａ））。そして、押え金具６の押さえ片６ｂが取付開口穴１３の周壁に接触し、さらに照明器具本体１が押し上げられると、押さえ片６ｂは取付開口穴１３の周壁から押圧力を受ける。このときＶ型バネ５の両脚部５ａがバネ線材で形成されているので、両脚部５ａのたわみにより押え金具６は押さえ片６ｂとＣ形部６ａとの境界線を軸として照明器具本体１側へ回転する。そして、押え金具６のつば部６ｅがアーム４のガイド穴４ｃに入り込み、押さえ片６ｂはアーム４に近接すると共にフック６ｃが切り欠４ｂから外れる（図４（ｂ））。
【００２０】
このとき、押え金具６はＶ型バネ５の両脚部５ａの広がろうとする力の作用により下方に向かう力を受けているが、取付開口穴１３の周壁からの押圧力によって滑り降りることなくその位置を保持している（図４(c) ）。この状態で照明器具本体１がさらに押し上げられ、押え金具６の押え片６ｂの下端が天井の上面１１の位置を通過すると、押え片６ｂはアーム４に沿って滑り降りると共にその下端部がアーム４から浮き上がる（図４(d) ）。このとき押え片６ｂの下端部の浮き上がりはＶ型バネ５の弾性によるものであるが、押え片６ｂがアーム４に沿って滑り降りる際に押え片６ｂに設けたつば部６ｅがアーム４に設けたガイド片４ｄに案内されることによって、よりスムーズに行われる。
押え金具６がアーム４上を滑り降り、押さえ片６ｂの下端部が天井の上面１１に当接すると（図４(e) ）、押さえ片６ｂの下端部と照明器具本体１のフランジ部２によって天井板１０を挟持することになり、照明器具本体１は天井に取り付けられる。
【００２１】
以上のように本実施形態によれば、照明器具本体１を取付開口穴１３に挿入するだけで天井面に取り付けることができ取付け時の操作性及び作業性のよい埋込式照明器具を得ることができる。
【００２２】
また、押え片６ｂの下部ほぼ中央につば部６ｅを設けると共に、アーム４の中央部における下端寄りの位置にガイド片４ｄを設けたので、押え片６ｂの下端が天井の上面１１の位置を通過して、押え金具６がアーム４上を滑り降りる際に、つば部６ｅがガイド片４ｄに案内されて押え片６ｂの下端の浮き上がりがスムーズに行われる。なお、本実施形態ではガイド片４ｄを設けた例を示したが、ガイド片４ｄを設けることなくガイド穴４ｃのみであっても、ほぼ同等の効果が得られる。
【００２３】
また、本実施形態においては押え片６ｂの下端部をアーム４から離れる方向に付勢すると共に押え金具６を下方へ移動させる方向にも付勢する手段としてＶ型バネ５を使用した例を示したが、本発明はこれに限られるものではなく他の手段であってもよい。ただ、Ｖ型バネ５を用いた場合には構造が簡単であり、なおかつ両脚５ａの開脚度やバネ材の湾曲度によって付勢力を容易に調整でき便宜である。
【００２４】
次に、上記のようにして天井面に取り付けられた埋込式照明器具の取り外し方法及びその際の取付装置３の動作を説明する。
埋込式照明器具を取り外すには、照明器具本体１を下方へ引き下げる。このとき、押さえ片６ｂの下端部は天井の上面１１に当接した状態で押え金具６がアーム４上を上方に移動する。そして、押え金具６のＣ形部６ａがＶ型バネ５の両脚５ａにおける折曲部を通過し、先端折曲部５ｅに至ると押え金具６のＣ形部が先端折曲部５ｅに沿って外方に移動し、図５に示すように押さえ片６ｂはアーム４側に密着する。このような状態になることによって、埋込式照明器具を取付開口穴１３から下方に抜き取ることができる。
【００２５】
このように本実施形態によれば埋込式照明器具の取り外しも操作性及び作業性よく行うことができる。
【００２６】
実施形態２．
図６は本発明の他の実施形態の斜視図である。本実施形態においてはアーム４のほぼ中央部の裏面側（アーム４を照明器具本体１に取り付けたときにおける照明器具本体１側）にガイド穴４ｃに臨ませて板バネ２０を設置したものである。本実施形態によれば、照明器具本体１を取付開口穴１３に挿入する際において、押え片６ｂが取付開口穴１３の周壁から押され、押え金具６のつば部６ｅがアーム４のガイド穴４ｃに挿入されたときに、つば部６ｅが板バネ２０に当接し、外方に押し出される方向の力を受ける。したがって、照明器具本体１がさらに押し上げられ、押え金具６の押え片６ｂの下端が天井上面１１の位置を通過して押え片６ｂの下端部がアーム４から浮き上がる（図４(d) 参照）ときに板バネ２０の力が付加されることになるので、押え片６ｂの下端部の浮き上がりが確実に行われることになる。
【００２７】
実施形態３．
図７は本発明の他の実施形態の斜視図である。本実施形態においては、押え金具６のＣ形部６ａ中央部と押え片６ｂとを連続したフラット面にしたものである。このため、実施形態１，２においてはＣ形部６ａと押え片６ｂとの折曲線を回転軸として回転するという構成であったものを、図８に示すようにアーム４の上部に突起２１を設け、押え金具６を突起２１を支点として回転するようにしたものである。
本実施形態によれば、押さえ片６ｂを曲げ加工する必要がなく、押え金具６の製作が容易になる。
【図面の簡単な説明】
【図１】  本発明の一実施形態の斜視図である。
【図２】  本実施形態の部品の斜視図である。
【図３】  本実施形態の部品の側面図である。
【図４】  本実施形態の動作を説明する説明図である。
【図５】  本実施形態を天井から取り外す際における取付装置の動作を説明する説明図である。
【図６】  本発明の他の実施形態の斜視図である。
【図７】  本発明の他の実施形態の斜視図である。
【図８】  図７に示した実施形態の部品の斜視図である。
【図９】  従来の埋込式照明器具の斜視図である。
【符号の説明】
１  照明器具本体、２  外向フランジ部、３  取付装置、４  アーム、４ｂ  切り欠、４ｃ  ガイド穴、４ｄ  ガイド片、５  Ｖ型バネ、５ａ  両脚、５ｅ  先端折曲部、６  押え金具、６ａ  Ｃ形部、６ｂ  押え片、６ｃ  フック、６ｅつば部、２０  板バネ。
【図１】
0003684485.tif 000002
【図２】
0003684485.tif 000003
【図３】
0003684485.tif 000004
【図４】
0003684485.tif 000005
【図５】
0003684485.tif 000006
【図６】
0003684485.tif 000007
【図７】
0003684485.tif 000008
【図８】
0003684485.tif 000009
【図９】
0003684485.tif 000010